(57)【要約】【課題】増幅器の入出力の接続状態を判定することにより、誤接続による故障を防ぐことのできる接続状態判定技術を提供する。【解決手段】複数の入力端子と複数の出力端子が設けられ、複数の増幅器を含む増幅装置の入出力の接続状態を判定する接続状態判定装置３０を提供する。テスト信号発生部３１は、増幅装置のいずれかの入力端子にテスト信号を供給する。入出力制御部３２は、複数の入力端子と複数の増幅器間の接続状態を変更する。並列判断部３３は、入出力制御部３２により複数の入力端子と複数の増幅器間の接続状態が変更された後の各増幅器の入力レベルと出力レベルを検知することにより、複数の出力端子間の接続状態を判定する。【選択図】図３
2017055337.tif 000002
【特許請求の範囲】
【請求項１】
複数の増幅器に対応して複数の入力端子と複数の出力端子が設けられた増幅装置の入出力の接続状態を判定する接続状態判定装置であって、
前記増幅装置のいずれかの入力端子にテスト信号を供給する信号発生部と、
前記複数の入力端子と前記複数の増幅器間の接続状態を変更する制御部と、
前記制御部により前記複数の入力端子と前記複数の増幅器間の接続状態が変更された後の各増幅器の入力レベルと出力レベルを検知することにより、前記複数の出力端子間の接続状態を判定する判定部とを含むことを特徴とする接続状態判定装置。
【請求項２】
前記制御部は、前記判定部により判定された前記複数の出力端子間の接続状態と、前記制御部により変更される前の前記複数の入力端子と前記複数の増幅器間の接続状態との整合性を判定することを特徴とする請求項１に記載の接続状態判定装置。
【請求項３】
前記制御部は、前記整合性がない場合、警告を発する、または、判定された出力端子間の接続状態に整合するように入力端子間の接続状態を自動設定することを特徴とする請求項２に記載の接続状態判定装置。
【請求項４】
前記制御部は、テスト信号が供給される入力端子を順に一つの増幅器に接続し、他の増幅器をグランドに接続することにより、前記複数の入力端子と前記複数の増幅器間の接続状態を変更することを特徴とする請求項１から３のいずれかに記載の接続状態判定装置。
【請求項５】
前記判定部は、前記増幅器の入力レベルが低であるにもかかわらず、当該増幅器の出力レベルが高である場合、当該増幅器に対応する出力端子は、出力レベルの高い別の増幅器に対応する出力端子に接続されていると判定することを特徴とする請求項１から４のいずれかに記載の接続状態判定装置。
【請求項６】
複数の増幅器に対応して複数の入力端子と複数の出力端子が設けられた増幅装置の入出力の接続状態を判定する接続状態判定方法であって、
前記増幅装置のいずれかの入力端子にテスト信号を供給する信号発生ステップと、
前記複数の入力端子と前記複数の増幅器間の接続状態を変更する制御ステップと、
前記制御ステップにより前記複数の入力端子と前記複数の増幅器間の接続状態が変更された後の各増幅器の入力レベルと出力レベルを検知することにより、前記複数の出力端子間の接続状態を判定する判定ステップとを含むことを特徴とする接続状態判定方法。
【請求項７】
複数の増幅器に対応して複数の入力端子と複数の出力端子が設けられた増幅装置の入出力の接続状態を判定する接続状態判定プログラムであって、
前記増幅装置のいずれかの入力端子にテスト信号を供給する信号発生ステップと、
前記複数の入力端子と前記複数の増幅器間の接続状態を変更する制御ステップと、
前記制御ステップにより前記複数の入力端子と前記複数の増幅器間の接続状態が変更された後の各増幅器の入力レベルと出力レベルを検知することにより、前記複数の出力端子間の接続状態を判定する判定ステップとをコンピュータに実行させることを特徴とする接続状態判定プログラム。
【発明の詳細な説明】
【技術分野】
【０００１】
本発明は、増幅器の入出力の接続状態を判定する技術に関する。
【背景技術】
【０００２】
業務用のパワーアンプでは、複数チャンネルのアンプ出力を並列接続することにより出力容量を増やす手法が頻繁に用いられる。例えば、増築で設置スピーカを増やしたために一台のアンプでは駆動しきれなくなった場合、アンプをもう１台購入し、２台のパワーアンプで並列運転することにより増設分の電力を補う。このようにすれば、大出力パワーアンプを新たに購入するよりも安価で済む。
【０００３】
しかし、並列接続するときは、必ずパワーアンプの入出力を同時に並列接続する必要がある。設置業者が目的の施設の状態、特にスピーカ回線の容量に合うように配線を接続するが、誤接続の危険が常に伴う。誤接続すると、過大な負荷がパワーアンプにかかる、他のパワーアンプからの出力電流が流れ込んでくる、など不測の状態に陥り故障の原因となる。
【０００４】
スピーカの誤接続に関して次のような判定方法がある。特許文献１に記載の方法では、音源としてホワイトノイズを提示したときのレベルを検出することで誤接続を判定する。特許文献２に記載の方法では、出力回路とスピーカの間に直列につないだ抵抗の電圧降下分を計算し、誤接続を判定する。また、特許文献３に記載の方法では、出力ドライバの過大電流を検出することで誤接続を判定する。
【先行技術文献】
【特許文献】
【０００５】
【特許文献１】特開平１１−１６７３８３号公報
【特許文献２】特開２００８−８５４７６号公報
【特許文献３】特開２００９−２９２３９９号公報
【発明の概要】
【発明が解決しようとする課題】
【０００６】
特許文献１〜３に記載の方法はいずれも、一つの出力ドライバチャンネルに一系統のスピーカ回線をつなぐことを想定した誤検出の判定方法であり、複数の出力ドライバチャンネルを一系統のスピーカ回線で駆動することを想定したものではない。すなわちそれぞれの駆動系統（チャンネル）間の接続状態を確認する方法は提供されていない。パワーアンプを並列接続する場合、パワーアンプの入出力がどのように並列接続されているか、その接続状態を簡単に知る方法があれば、誤接続による故障を未然に防ぐことができる。
【０００７】
本発明はこうした状況に鑑みてなされたものであり、その目的は、増幅器の入出力の接続状態を判定することにより、誤接続による故障を防ぐことのできる接続状態判定技術を提供することにある。
【課題を解決するための手段】
【０００８】
上記課題を解決するために、本発明のある態様の接続状態判定装置は、複数の増幅器に対応して複数の入力端子と複数の出力端子が設けられた増幅装置の入出力の接続状態を判定する接続状態判定装置であって、前記増幅装置のいずれかの入力端子にテスト信号を供給する信号発生部と、前記複数の入力端子と前記複数の増幅器間の接続状態を変更する制御部と、前記制御部により前記複数の入力端子と前記複数の増幅器間の接続状態が変更された後の各増幅器の入力レベルと出力レベルを検知することにより、前記複数の出力端子間の接続状態を判定する判定部とを含む。
【０００９】
本発明の別の態様は、接続状態判定方法である。この方法は、複数の増幅器に対応して複数の入力端子と複数の出力端子が設けられた増幅装置の入出力の接続状態を判定する接続状態判定方法であって、前記増幅装置のいずれかの入力端子にテスト信号を供給する信号発生ステップと、前記複数の入力端子と前記複数の増幅器間の接続状態を変更する制御ステップと、前記制御ステップにより前記複数の入力端子と前記複数の増幅器間の接続状態が変更された後の各増幅器の入力レベルと出力レベルを検知することにより、前記複数の出力端子間の接続状態を判定する判定ステップとを含む。
【００１０】
なお、以上の構成要素の任意の組合せ、本発明の表現を方法、装置、システム、記録媒体、コンピュータプログラムなどの間で変換したものもまた、本発明の態様として有効である。
【発明の効果】
【００１１】
本発明によれば、増幅器の入出力の接続状態を判定することにより、誤接続による故障を防ぐことができる。
【図面の簡単な説明】
【００１２】
【図１】２台のパワーアンプの並列接続を説明する図である。
【図２】本実施の形態のデジタルパワーアンプ装置の構成図である。
【図３】本実施の形態の増幅システムの構成図である。
【図４】デジタルパワーアンプ装置の入出力端子の並列接続の例を説明する図である。
【図５Ａ】デジタルパワーアンプ装置の入出力端子の接続状態の整合性判定手順を説明する図である。
【図５Ｂ】デジタルパワーアンプ装置の入出力端子の接続状態の整合性判定手順を説明する図である。
【図５Ｃ】デジタルパワーアンプ装置の入出力端子の接続状態の整合性判定手順を説明する図である。
【図５Ｄ】デジタルパワーアンプ装置の入出力端子の接続状態の整合性判定手順を説明する図である。
【図６】本実施の形態の接続状態判定手順を説明するフローチャートである。
【発明を実施するための形態】
【００１３】
図１は、２台のパワーアンプの並列接続を説明する図である。１台の８０ＷのパワーアンプＡ（符号１００Ａ）では出力容量が不足する場合、増設用の２台目の８０ＷのパワーアンプＢ（符号１００Ｂ）を用いて、同図のように二つのパワーアンプＡ、Ｂの入力端子を並列に接続し、また、二つのパワーアンプＡ、Ｂの出力端子を並列に接続することで、出力容量を１６０Ｗに倍増させる。
【００１４】
図２は、本実施の形態のデジタルパワーアンプ装置１０の構成図である。この例では、デジタルパワーアンプ装置１０はＣＨ１〜ＣＨ４の４チャンネルで構成されており、各チャンネルには増幅部１３と、増幅部１３の入出力レベルを判定するための入出力判定部１２とが備えられている。ここでは、４チャンネルのデジタルパワーアンプ装置１０を例示するが、チャンネル数はこれに限定されない。また、１チャンネルや２チャンネルのパワーアンプを複数台組み合わせたものをデジタルパワーアンプ装置１０としてもよい。
【００１５】
デジタルパワーアンプ装置１０には４つの入力端子ＩＮＡ〜ＩＮＤと４つの出力端子ＯＵＴ１〜ＯＵＴ４があり、通常、これらの端子はデジタルパワーアンプ装置１０の背面に設けられている。４つのチャンネルＣＨ１〜ＣＨ４には端子Ｔ１〜Ｔ４がある。
【００１６】
並列入力選択部１１は、デジタルパワーアンプ装置１０の入力端子ＩＮＡ〜ＩＮＤをチャンネルＣＨ１〜ＣＨ４の端子Ｔ１〜Ｔ４に切り替えて接続する。並列入力選択部１１は、チャンネルの端子Ｔ１〜Ｔ４をグランド（ＧＮＤ）に接続することもできる。
【００１７】
入力端子ＩＮＡ〜ＩＮＤとチャンネルＣＨ１〜ＣＨ４の端子Ｔ１〜Ｔ４の接続状態（「入力端子接続状態」という）に関する設定情報は、デジタルパワーアンプ装置１０内に設けられたＲＯＭなどのメモリに記憶されており、ＲＯＭに記憶された入力端子接続状態に関する設定情報は外部から設置業者やユーザが書き換えることができる。
【００１８】
入力端子接続状態は、入力端子と、入力端子が接続されるチャンネルの端子との対応関係で表されるから、入力端子接続状態に関する設定情報は、この対応関係を示す情報である。たとえば、第１入力端子ＩＮＡを第１チャンネルＣＨ１の端子Ｔ１および第２チャンネルＣＨ２の端子Ｔ２に接続し、第２入力端子ＩＮＢを第３チャンネルＣＨ３の端子Ｔ３および第４チャンネルＣＨ４の端子Ｔ４に接続する場合、入力端子接続状態に関する設定情報は、
ＩＮＡ−Ｔ１、Ｔ２
ＩＮＢ−Ｔ３、Ｔ４
のような接続される端子間の対応関係を示す形式で与えられる。
【００１９】
並列入力選択部１１は、ＲＯＭに記憶された入力端子接続状態に関する設定情報を読み込み、その設定情報にしたがって入力端子ＩＮＡ〜ＩＮＤを指定されたチャンネルＣＨ１〜ＣＨ４の端子Ｔ１〜Ｔ４に接続する。
【００２０】
デジタルパワーアンプ装置１０の入力端子ＩＮＡ〜ＩＮＤに入力された音声信号は並列入力選択部１１によって選択されたチャンネルＣＨ１〜ＣＨ４の端子Ｔ１〜Ｔ４に入力される。各チャンネルＣＨ１〜ＣＨ４の端子Ｔ１〜Ｔ４に入力された信号は増幅部１３により増幅されて、出力端子ＯＵＴ１〜ＯＵＴ４から出力される。
【００２１】
デジタルパワーアンプ装置１０内の２以上のチャンネルを並列接続して使用する場合、音声信号が供給される入力端子を並列接続するすべてのチャンネルの端子に接続されるように入力端子接続状態に関する設定情報を生成してＲＯＭに書き込み、並列入力選択部１１にその設定情報を読み込ませて、所望の入力端子接続状態を設定させる。
【００２２】
図３は、本実施の形態の増幅システムの構成図である。チャンネルを並列接続するために、デジタルパワーアンプ装置１０の出力端子ＯＵＴ１〜ＯＵＴ４は点線のように短絡接続される。たとえば、第１チャンネルＣＨ１と第２チャンネルＣＨ２を並列接続する場合、第１出力端子ＯＵＴ１と第２出力端子ＯＵＴ２を短絡接続する。出力端子ＯＵＴ１〜ＯＵＴ４の短絡接続は出力端子をケーブルで接続するなどにより手動で行われる。
【００２３】
出力端子ＯＵＴ１〜ＯＵＴ４の短絡接続に合うように、入力端子ＩＮＡ〜ＩＮＤとチャンネルＣＨ１〜ＣＨ４の端子Ｔ１〜Ｔ４の間の接続関係を示す情報が設定され、並列入力選択部１１はその設定情報にしたがってデジタルパワーアンプ装置１０の入力端子ＩＮＡ〜ＩＮＤをチャンネルＣＨ１〜ＣＨ４の端子Ｔ１〜Ｔ４に接続する。
【００２４】
デジタルパワーアンプ装置１０の出力側には回路制御装置２０が接続される。回路制御装置２０はデジタルパワーアンプ装置１０の出力をスピーカ４０に切り替えて接続するスイッチャである。
【００２５】
デジタルパワーアンプ装置１０には接続状態判定装置３０が接続される。接続状態判定装置３０は、デジタルパワーアンプ装置１０の入力端子にテスト信号を供給して並列入力選択部１１により入力端子の接続状態を切り替えながら、デジタルパワーアンプ装置１０の出力端子の接続状態を検知するスキャニングを行う。さらに、ユーザが設定した入力端子接続状態と、スキャンの結果得られた出力端子接続状態とを比較して、整合性を判定し、整合性がない場合に警告を発するか、入力端子接続状態を自動修正するか、出力端子接続状態の手動修正を促す。
【００２６】
最初に、入出力制御部３２は、設置業者やユーザによって設定された入力端子接続状態に関する設定情報をデジタルパワーアンプ装置１０に設けられたＲＯＭなどのメモリから読み込み、「入力端子接続状態」として入力端子接続状態記憶部３４に記憶する。あるいは、入力端子接続状態記憶部３４を接続状態判定装置３０内に設けないで、デジタルパワーアンプ装置１０に設けられたＲＯＭを入力端子接続状態記憶部３４として用いてもよい。この「入力端子接続状態」は、デジタルパワーアンプ装置１０の入力端子ＩＮＡ〜ＩＮＤとチャンネルＣＨ１〜ＣＨ４の端子Ｔ１〜Ｔ４の想定された接続状態であり、後に、出力端子接続状態との整合性が判断される。
【００２７】
また、入出力制御部３２は回路制御装置２０の入出力端子の接続状態を適宜制御する。
【００２８】
接続状態判定装置３０のテスト信号発生部３１はデジタルパワーアンプ装置１０の入力端子（ここでは第１入力端子ＩＮＡ）にテスト信号を供給する。入出力制御部３２は、並列入力選択部１１に与える設定情報を変更することで、デジタルパワーアンプ装置１０の入力端子ＩＮＡ〜ＩＮＤとチャンネルＣＨ１〜ＣＨ４の端子Ｔ１〜Ｔ４の接続状態を変更し、テスト信号によるスキャニングを可能にする。
【００２９】
入出力制御部３２が並列入力選択部１１を介して入力端子接続状態を変更してテスト信号によるスキャニングを行う度に、並列判断部３３は、各チャンネルＣＨ１〜ＣＨ４の入出力判定部１２から各チャンネルＣＨ１〜ＣＨ４の増幅部１３の入出力レベルを取得し、デジタルパワーアンプ装置１０の出力端子ＯＵＴ１〜ＯＵＴ４の接続状態を判定する。スキャニングが終了すると、並列判断部３３は、出力端子ＯＵＴ１〜ＯＵＴ４の接続状態の判定結果を「出力端子接続状態」として出力端子接続状態記憶部３５に記憶する。
【００３０】
入出力制御部３２は、入力端子接続状態記憶部３４に記憶された「入力端子接続状態」と出力端子接続状態記憶部３５に記憶された「出力端子接続状態」とを比較し、整合性があるか否かを判断し、整合性がない場合、表示灯などにより警告を発し、警告を契機にユーザが出力端子ＯＵＴ１〜ＯＵＴ４の短絡接続を手動で修正するように促す。あるいは、出力端子ＯＵＴ１〜ＯＵＴ４の接続状態と整合するように入力端子ＩＮＡ〜ＩＮＤの接続状態を自動的に修正する。
【００３１】
ここで、「入力端子接続状態」と「出力端子接続状態」が整合性があるとは、同一の入力端子ＩＮＡ〜ＩＮＤに接続されたチャンネルＣＨ１〜ＣＨ４の組と、短絡接続された出力端子ＯＵＴ１〜ＯＵＴ４に接続されたチャンネルＣＨ１〜ＣＨ４の組とが、一致していることをいう。より厳密に言えば、「入力端子接続状態」と「出力端子接続状態」が整合性があるとは、同一の入力端子ＩＮＡ〜ＩＮＤに接続された端子Ｔ１〜Ｔ４を備えるチャンネルＣＨ１〜ＣＨ４の組と、短絡接続された端子ＯＵＴ１〜ＯＵＴ４に接続された増幅部１３を備えるチャンネルＣＨ１〜ＣＨ４の組とが、一致していることをいう。
【００３２】
図４は、デジタルパワーアンプ装置１０の入出力端子の並列接続の例を説明する図である。ここでは、図３の回路制御装置２０の構成を省いて、デジタルパワーアンプ装置１０の出力端子ＯＵＴ１〜ＯＵＴ４に直接スピーカ４０が接続される例を説明する。
【００３３】
デジタルパワーアンプ装置１０の第１チャンネルＣＨ１と第２チャンネルＣＨ２を並列接続するために、第１チャンネルＣＨ１の増幅部１３につながる第１出力端子ＯＵＴ１と第２チャンネルＣＨ２の増幅部１３につながる第２出力端子ＯＵＴ２とが短絡接続される。また、第３チャンネルＣＨ３と第４チャンネルＣＨ４を並列接続するために、第３チャンネルＣＨ３の増幅部１３につながる第３出力端子ＯＵＴ３と第４チャンネルＣＨ４の増幅部１３につながる第４出力端子ＯＵＴ４とが短絡接続される。
【００３４】
デジタルパワーアンプ装置１０の第１入力端子ＩＮＡに音声信号１が入力され、第２入力端子ＩＮＢに音声信号２が入力される。第１入力端子ＩＮＡは第１チャンネルＣＨ１の端子Ｔ１および第２チャンネルＣＨ２の端子Ｔ２に接続される。また、第２入力端子ＩＮＢは第３チャンネルＣＨ３の端子Ｔ３および第４チャンネルＣＨ４の端子Ｔ４に接続される。
【００３５】
このようにデジタルパワーアンプ装置１０の入力端子と出力端子を接続することで第１入力端子ＩＮＡに入力された音声信号１は、並列接続された第１チャンネルＣＨ１の増幅部１３および第２チャンネルＣＨ２の増幅部１３によって増幅され、第１出力端子ＯＵＴ１および第２出力端子ＯＵＴ２から出力される。
【００３６】
以下、図４の入出力端子接続状態を前提として、接続状態判定装置３０による入出力端子の接続状態の整合性判定方法を説明する。
【００３７】
図５Ａ〜図５Ｄは、接続状態判定装置３０によるデジタルパワーアンプ装置１０の入出力端子の接続状態の整合性判定手順を説明する図である。図５Ａ〜図５Ｄでは、簡単のため、接続状態判定装置３０の構成の内、テスト信号発生部３１、入出力制御部３２、および並列判断部３３を示し、それ以外の構成は省略している。
【００３８】
ここでは、図４で説明したように、第１チャンネルＣＨ１と第２チャンネルＣＨ２を並列接続して使うことを想定して、第１入力端子ＩＮＡは第１チャンネルＣＨ１の端子Ｔ１および第２チャンネルＣＨ２の端子Ｔ２に接続され、第２入力端子ＩＮＢは第３チャンネルＣＨ３の端子Ｔ３および第４チャンネルＣＨ４の端子Ｔ４に接続されるように並列入力選択部１１に与える設定情報が設定される。他方、第１出力端子ＯＵＴ１と第２出力端子ＯＵＴ２が短絡接続され、第３出力端子ＯＵＴ３と第４出力端子ＯＵＴ４が短絡接続される。
【００３９】
デジタルパワーアンプ装置１０の出力端子の短絡接続は設置業者またはユーザが行う。デジタルパワーアンプ装置１０の出力端子の接続状態を知るには短絡接続を一つ一つ目視で確認する必要があり、簡単にはわからない。そこで、デジタルパワーアンプ装置１０にテスト信号を供給して出力端子の接続状態を検知し、デジタルパワーアンプ装置１０の入力端子の接続状態と出力端子の接続状態とが整合しているか否かを事前に調べることで誤接続による故障を未然に防止する。
【００４０】
テスト信号発生部３１は、デジタルパワーアンプ装置１０の第１入力端子ＩＮＡにテスト信号を供給する。ただし、テスト信号は第１〜第４入力端子ＩＮＡ〜ＩＮＤのいずれかに供給すればよく、第１入力端子ＩＮＡに限定する必要はない。
【００４１】
入出力制御部３２は、並列入力選択部１１に与える入力端子接続状態に関する設定情報を変更することで、テスト信号が供給される第１入力端子ＩＮＡを第１チャンネルＣＨ１の端子Ｔ１に接続し、それ以外のチャンネルＣＨ２、ＣＨ３、ＣＨ４の端子Ｔ２、Ｔ３、Ｔ４をＧＮＤに接続する。ここで、入出力制御部３２は、並列判断部３３による出力端子の接続状態の検出精度を確かなものにするために、回路制御装置２０を制御して回路制御装置２０の入力端子がどの出力端子にも接続されていない状態にする。
【００４２】
各チャンネルＣＨ１〜ＣＨ４の入出力判定部１２は、各チャンネルＣＨ１〜ＣＨ４の増幅部１３の入力レベルと出力レベルが閾値を超えるか否かを判定する。入力レベル／出力レベルが閾値を超えた場合、「高」（Ｈｉｇｈ）とし、閾値以下の場合、「低」（Ｌｏｗ）と判定する。並列判断部３３は、各チャンネルＣＨ１〜ＣＨ４の入出力判定部１２から各チャンネルＣＨ１〜ＣＨ４の増幅部１３の入力レベルと出力レベルの判定結果を取得する。
【００４３】
第１チャンネルＣＨ１の端子Ｔ１にはテスト信号が入力されるため、第１チャンネルＣＨ１の増幅部１３の入力レベルと出力レベルはともに「高」である。第２チャンネルＣＨ２の端子Ｔ２はＧＮＤに接続されていることから、第２チャンネルＣＨ２の増幅部１３の入力レベルは「低」であるが、第１チャンネルＣＨ１の出力端子ＯＵＴ１と第２チャンネルＣＨ２の出力端子ＯＵＴ２が短絡接続されていることから、第２チャンネルＣＨ２の増幅部１３の出力レベルは「高」になる。
【００４４】
第３チャンネルＣＨ３の端子Ｔ３はＧＮＤに接続されていることから、第３チャンネルＣＨ３の増幅部１３の入力レベルは「低」である。第３チャンネルＣＨ３の出力端子ＯＵＴ３と第４チャンネルＣＨ４の出力端子ＯＵＴ４が接続されているが、これらのいずれの出力端子も第１チャンネルＣＨ１の出力端子ＯＵＴ１には接続されていないことから、第３チャンネルＣＨ３の増幅部１３の出力レベルは「低」である。同様に、第４チャンネルＣＨ４の増幅部１３の入力レベルおよび出力レベルはともに「低」である。
【００４５】
並列判断部３３は、各チャンネルＣＨ１〜ＣＨ４の増幅部１３の入出力レベルの判定結果からデジタルパワーアンプ装置１０の出力端子接続状態を判定する。ここでは、第２チャンネルＣＨ２の増幅部１３の入力レベルが「低」であるにもかかわらず、第２チャンネルＣＨ２の増幅部１３の出力レベルが「高」であることから、第２出力端子ＯＵＴ２が出力レベルの高い第１出力端子ＯＵＴ１に接続されていると判定する。
【００４６】
次に、図５Ｂに示すように、入出力制御部３２は、並列入力選択部１１に与える設定情報を変更することで、第１入力端子ＩＮＡを第２チャンネルＣＨ２の端子Ｔ２に接続し、それ以外のチャンネルＣＨ１、ＣＨ３、ＣＨ４の端子Ｔ１、Ｔ３、Ｔ４をＧＮＤに接続する。
【００４７】
このとき、第２チャンネルＣＨ２の端子Ｔ２にはテスト信号が入力されるため、第２チャンネルＣＨ２の増幅部１３の入力レベルと出力レベルはともに「高」である。第１チャンネルＣＨ１の端子Ｔ１はＧＮＤに接続されていることから、第１チャンネルＣＨ１の増幅部１３の入力レベルは「低」であるが、第１チャンネルＣＨ１の出力端子ＯＵＴ１と第２チャンネルＣＨ２の出力端子ＯＵＴ２が短絡接続されていることから、第１チャンネルＣＨ１の増幅部１３の出力レベルは「高」になる。
【００４８】
第３チャンネルＣＨ３の増幅部１３および第４チャンネルＣＨ４の増幅部１３の入力レベル、出力レベルはともに「低」である。
【００４９】
並列判断部３３は、各チャンネルＣＨ１〜ＣＨ４の増幅部１３の入出力レベルの判定結果から、第１チャンネルＣＨ１の増幅部１３の入力レベルが「低」であるにもかかわらず、第１チャンネルＣＨ１の増幅部１３の出力レベルが「高」であることから、第１出力端子ＯＵＴ１が出力レベルの高い第２出力端子ＯＵＴ２に接続されていると判定する。この判定結果は、図５Ａと同じであるが、増幅部１３の入出力レベルの検出値にはノイズが加わることもあるため、図５Ａの判定結果と合わせることで判定精度を高めることができる。
【００５０】
次に、図５Ｃに示すように、入出力制御部３２は、並列入力選択部１１に与える設定情報を変更することで、第１入力端子ＩＮＡを第３チャンネルＣＨ３の端子Ｔ３に接続し、それ以外のチャンネルＣＨ１、ＣＨ２、ＣＨ４の端子Ｔ１、Ｔ２、Ｔ４をＧＮＤに接続する。
【００５１】
このとき、第３チャンネルＣＨ３の端子Ｔ３にはテスト信号が入力されるため、第３チャンネルＣＨ３の増幅部１３の入力レベルと出力レベルはともに「高」である。第４チャンネルＣＨ４の端子Ｔ４はＧＮＤに接続されていることから、第４チャンネルＣＨ４の増幅部１３の入力レベルは「低」であるが、第３チャンネルＣＨ３の出力端子ＯＵＴ３と第４チャンネルＣＨ４の出力端子ＯＵＴ４が短絡接続されていることから、第４チャンネルＣＨ４の増幅部１３の出力レベルは「高」である。
【００５２】
第１チャンネルＣＨ１の増幅部１３および第２チャンネルＣＨ２の増幅部１３の入力レベル、出力レベルはともに「低」である。
【００５３】
並列判断部３３は、各チャンネルＣＨ１〜ＣＨ４の増幅部１３の入出力レベルの判定結果から、第４チャンネルＣＨ４の増幅部１３の入力レベルが「低」であるにもかかわらず、第４チャンネルＣＨ４の増幅部１３の出力レベルが「高」であることから、第４出力端子ＯＵＴ４が出力レベルの高い第３出力端子ＯＵＴ３に接続されていると判定する。
【００５４】
次に、図５Ｄに示すように、入出力制御部３２は、並列入力選択部１１に与える設定情報を変更することで、第１入力端子ＩＮＡを第４チャンネルＣＨ４の端子Ｔ４に接続し、それ以外のチャンネルＣＨ１、ＣＨ２、ＣＨ３の端子Ｔ１、Ｔ２、Ｔ３をＧＮＤに接続する。
【００５５】
このとき、第４チャンネルＣＨ４の端子Ｔ４にはテスト信号が入力されるため、第４チャンネルＣＨ４の増幅部１３の入力レベルと出力レベルはともに「高」である。第３チャンネルＣＨ３の端子Ｔ３はＧＮＤに接続されていることから、第３チャンネルＣＨ３の増幅部１３の入力レベルは「低」であるが、第３チャンネルＣＨ３の出力端子ＯＵＴ３と第４チャンネルＣＨ４の出力端子ＯＵＴ２が短絡接続されていることから、第３チャンネルＣＨ３の増幅部１３の出力レベルは「高」になる。
【００５６】
第１チャンネルＣＨ１の増幅部１３および第２チャンネルＣＨ２の増幅部１３の入力レベル、出力レベルはともに「低」である。
【００５７】
並列判断部３３は、各チャンネルＣＨ１〜ＣＨ４の増幅部１３の入出力レベルの判定結果から、第３チャンネルＣＨ３の増幅部１３の入力レベルが「低」であるにもかかわらず、第３チャンネルＣＨ３の増幅部１３の出力レベルが「高」であることから、第３出力端子ＯＵＴ３が出力レベルの高い第４出力端子ＯＵＴ４に接続されていると判定する。この判定結果は、図５Ｃと同じであるが、図５Ｃの判定結果と合わせることで判定の精度を高めることができる。
【００５８】
図６は、本実施の形態の接続状態判定手順を説明するフローチャートである。
【００５９】
ユーザが接続状態判定装置３０において図示しない検査開始ボタンを押し下げることで接続状態判定手順が開始される。最初に、入出力制御部３２は、並列入力選択部１１による現在の入力端子接続状態を入力端子接続状態記憶部３４に記憶する。また、入出力制御部３２は、並列判断部３３による出力端子の接続状態の検出精度を確かなものにするために、回路制御装置２０を制御して回路制御装置２０の入力端子がどの出力端子にも接続されていない状態にする。以上の初期設定を行った後、入出力制御部３２は、チャンネル番号を示す変数ｉを「１」に初期化し、テスト信号発生部３１はテスト信号を発生させる（Ｓ１０）。
【００６０】
並列入力選択部１１は、テスト信号が供給される入力端子を第ｉ番目のチャンネルの端子に接続し、他のチャンネルの端子をＧＮＤに接続する（Ｓ１２）。
【００６１】
各チャンネルの入出力判定部１２は、各チャンネルの増幅部１３の入出力レベルを判定する（Ｓ１４）。並列判断部３３は、各チャンネルの入出力判定部１２から各チャンネルの増幅部１３の入出力レベルの判定結果を取得し、デジタルパワーアンプ装置１０の出力端子の接続状態を判定する（Ｓ１６）。より具体的には、並列判断部３３は、あるチャンネルの増幅部１３の入力レベルが「低」であるにもかかわらず、出力レベルが「高」である場合、そのチャンネルの出力端子は、増幅部１３の出力レベルが「高」である他のチャンネルの出力端子と並列接続されていると判断する。
【００６２】
変数ｉを１だけインクリメントする（Ｓ１８）。変数ｉが総チャンネル数ｎ以下である場合（Ｓ２０のＮ）、ステップＳ１２に戻り、ステップＳ１２〜ステップＳ１８を繰り返す。変数ｉが総チャンネル数ｎよりも大きい場合（Ｓ２０のＹ）、並列判断部３３は、これまでに並列接続されていると判定した出力端子の情報を出力端子接続状態として出力端子接続状態記憶部３５に記憶する（Ｓ２２）。
【００６３】
入出力制御部３２は、入力端子接続状態記憶部３４に記憶された入力端子接続状態と、出力端子接続状態記憶部３５に記憶された出力端子接続状態とが整合しているか否かを判定する（Ｓ２４）。整合性がある場合（Ｓ２６のＹ）、この接続状態判定処理を終了する。整合性がない場合（Ｓ２６のＮ）、整合性がない旨をデジタルパワーアンプ装置１０の前面などに設けられた表示灯などにより以上の警告を出し、出力端子接続状態の手動修正を促す。あるいは、整合性があるように入力端子接続状態を自動修正する（Ｓ２８）。
【００６４】
以上述べたように、本実施の形態の接続状態判定装置によれば、デジタルパワーアンプ装置１０の入力端子にテスト信号を与え、デジタルパワーアンプ装置１０の入力端子と各増幅部の接続状態を変えながら、各増幅部の入出力レベルを検知するスキャニングを行うことで、デジタルパワーアンプ装置１０の出力端子間の接続状態を簡単に知ることができ、入力端子の接続状態との整合性を判定する。整合性が取れていない場合は、入力端子または出力端子の接続状態を修正することができる。これにより、誤接続の状態で電流を流してパワーアンプや接続されたスピーカ４０を故障させてしまうリスクを低減できる。
【００６５】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【００６６】
実施の形態では、増幅装置の例としてデジタルパワーアンプを説明したが、アナログアンプはもちろん増幅機能をもつものであれば、任意の装置に本実施の形態の接続状態判定方法を適用することができる。
【００６７】
実施の形態では、接続状態判定装置３０がデジタルパワーアンプ装置１０の外部にある構成を説明したが、接続状態判定装置３０の一部または全部の構成がデジタルパワーアンプ装置１０の内部にあってもよい。また、接続状態判定装置３０の一部または全部の構成がコンピュータにおけるソフトウェアで実現されてもよい。
【符号の説明】
【００６８】
１０  デジタルパワーアンプ装置、  １１  並列入力選択部、  １２  入出力判定部、  １３  増幅部、  ２０  回路制御装置、  ３０  接続状態判定装置、  ３１  テスト信号発生部、  ３２  入出力制御部、  ３３  並列判断部、  ３４  入力端子接続状態記憶部、  ３５  出力端子接続状態記憶部、  ４０  スピーカ。
【図１】
2017055337.tif 000003
【図２】
2017055337.tif 000004
【図３】
2017055337.tif 000005
【図４】
2017055337.tif 000006
【図５Ａ】
2017055337.tif 000007
【図５Ｂ】
2017055337.tif 000008
【図５Ｃ】
2017055337.tif 000009
【図５Ｄ】
2017055337.tif 000010
【図６】
2017055337.tif 000011